(57)【特許請求の範囲】
【請求項１】
昇降路内を昇降する乗りかごと、
前記乗りかごの昇降を駆動することが可能な巻上機と、
前記巻上機を支持する支持構造と、
を具備し、
前記支持構造は、
前記巻上機を直接支持するマシンビームと、
前記マシンビームと直交する方向に延びるとともに、前記マシンビームを支持する支持梁と、
前記昇降路の上部に枠状に形成されるとともに、前記支持梁を支持するやぐらと、
前記支持梁と前記やぐらとの間に介在される防振材と、
を有し、
前記巻上機は、前記支持構造の高さの範囲内で逆さ向きに固定され、
前記巻上機は、前記マシンビームに引っ掛けるための小板状の引っ掛け部を具備し、
前記マシンビームは、前記引っ掛け部を受ける受け部と、前記受け部に隣接して設けられるとともに、前記引っ掛け部の前記巻上機の回転軸方向における幅寸法よりも大きく形成された切欠部と、を具備することを特徴とするエレベータ。
【請求項２】
前記マシンビームは、前記巻上機を間に挟んだ両側に配置される一対のもので構成されることを特徴とする請求項１に記載のエレベータ。
【請求項３】
一対の前記マシンビーム間に渡された補強梁をさらに具備することを特徴とする請求項１に記載のエレベータ。
【請求項４】
前記補強梁は、前記巻上機の駆動シーブの近傍に配置されることを特徴とする請求項３に記載のエレベータ。
【発明の詳細な説明】
【技術分野】
【０００１】
本発明は、昇降路の頂部に機械室を持たないエレベータに関する。
【背景技術】
【０００２】
例えば、機械室を持たないエレベータとして、以下のものが開示されている。このエレベータは、昇降路内を昇降する乗りかごと、昇降路内に配置された巻上機と、乗りかごの上部に支持されたかご側シーブと、巻上機に巻きかけられるとともに、一端でかご側シーブを介して乗りかごを吊り下げる巻き上げロープと、巻き上げロープの他端で吊り下げられるつり合い重りと、を備えている。
【０００３】
このエレベータでは、乗りかごの上部にかご側シーブが配置されているため、昇降路底部のピット深さが低減されている。また、乗りかごの上部に作業者が乗ることで、巻上機やかご側シーブのメンテナンスを集中的に行うことができるようになっている。
【特許文献１】特開２００４−１９０４号公報
【発明の開示】
【発明が解決しようとする課題】
【０００４】
ところで、マシンルームレスのエレベータにおいて、巻上機等を配置させるための昇降路頂部の空間、すなわちオーバヘッド部分の大きさを省スペース化したいという要望がある。しかしながら、上記従来のエレベータでは、オーバヘッド部分の大きさを小さくするための配慮がなく、改良の余地があった。
【０００５】
本発明の目的は、昇降路のオーバヘッド部分の高さ寸法を小さくすることができるとともに、巻上機を簡単に取り外せるエレベータを提供することにある。
【課題を解決するための手段】
【０００６】
前記目的を達成するために、本発明の一つの形態に係るエレベータは、昇降路内を昇降する乗りかごと、前記乗りかごの昇降を駆動することが可能な巻上機と、前記巻上機を支持する支持構造と、を具備し、前記支持構造は、前記巻上機を直接支持するマシンビームと、前記マシンビームと直交する方向に延びるとともに、前記マシンビームを支持する支持梁と、前記昇降路の上部に枠状に形成されるとともに、前記支持梁を支持するやぐらと、前記支持梁と前記やぐらとの間に介在される防振材と、を有し、前記巻上機は、前記支持構造の高さの範囲内で逆さ向きに固定され、前記巻上機は、前記マシンビームに引っ掛けるための小板状の引っ掛け部を具備し、前記マシンビームは、前記引っ掛け部を受ける受け部と、前記受け部に隣接して設けられるとともに、前記引っ掛け部の前記巻上機の回転軸方向における幅寸法よりも大きく形成された切欠部と、を具備する。
【０００９】
この場合、前記マシンビームは、前記巻上機を間に挟んだ両側に配置される一対のもので構成されるとよい。このとき、一対の前記マシンビーム間に渡された補強梁をさらに具備することが好ましい。この補強梁は、巻上機の駆動シーブの近傍に配置されると、さらに有効である。
【発明の効果】
【００１２】
本発明に係るエレベータによれば、昇降路のオーバヘッド部分の高さ寸法を小さくすることが可能であるとともに、巻上機を簡単に取り外すことが可能なエレベータを提供できる。
【発明を実施するための最良の形態】
【００１３】
以下、図１と図２を参照して、エレベータの第１の参考例について説明する。以下に述べる各参考例及び一実施の形態では、いわゆるマシンルームレスのエレベータに適用した場合を例に説明する。
【００１４】
図１に示すように、エレベータ１１は、例えば、昇降路１２と、昇降路１２内を昇降できる乗りかご１３と、一端の近傍で乗りかご１３が吊り下げられるメインロープ１４と、メインロープ１４の中ほどが巻きかけられる巻上機１５と、昇降路１２の上部に設けられるとともに巻上機１５を支持する支持構造１６と、メインロープ１４の他端の近傍に吊り下げられるつり合い重り１７と、乗りかご１３の昇降をガイドするメインレールと、つり合い重り１７の昇降をガイドするカウンターレールと、を備えている。
【００１５】
エレベータ１１は、メインロープ１４の一端が固定される第１のロープヒッチ２１と、メインロープ１４の他端が固定される第２のロープヒッチ２２と、を備えている。第１のロープヒッチ２１は、支持構造１６の後述するヒッチビーム２３に固定されている。第２のロープヒッチ２２は、支持構造１６の後述するマシンビーム２４に固定されている。エレベータ１１は、さらに、乗りかご１３の昇降速度を調整するためのガバナなどを備えているが、ガバナの図示を省略している。
【００１６】
昇降路１２は、支持構造１６の後述する建屋梁２５が固定される壁部１２Ａを有している。メインロープ１４は、複数本のもので構成されている。メインロープ１４は、例えば、シングルラップ方式で巻上機１５に巻きかけられている。乗りかご１３は、例えば、かご本体２６と、かご本体２６の上側に配置された一対のかご上シーブ２７と、を有している。一対のかご上シーブ２７は、乗りかご１３の対角方向に沿って斜めに取り付けられている。もっとも、乗りかご１３のシーブは、かご上シーブ２７に限定されるものではなく、乗りかご１３の下側に取り付けられていてもよい。
【００１７】
巻上機１５は、駆動装置本体３１と、駆動装置本体３１に取り付けられた駆動シーブ３２と、を有している。巻上機１５は、乗りかご１３の昇降を駆動することができる。つり合い重り１７は、つり合い重り本体３３と、つり合い重り本体３３の上側に配置された一対のつり合い重りシーブ３４と、を有している。
【００１８】
支持構造１６は、巻上機１５を直接支持するマシンビーム２４と、マシンビーム２４を支持する支持梁３５と、支持梁３５を支持するやぐら３６と、支持梁３５とやぐら３６との間に介在される防振材３７と、第１のロープヒッチ２１を支持するヒッチビーム２３と、を有する。防振材３７は、例えば、ゴム状の弾性体で構成されている。
【００１９】
図１に示すように、支持梁３５は、マシンビーム２４と直交する方向に延びている。やぐら３６は、昇降路１２の上部に枠状に形成されている。やぐらは、昇降路１２の壁部１２Ａに固定される一対の建屋梁２５と、一対の建屋梁２５に渡された一対の受け梁３８と、を有している。
【００２０】
図２に示すように、マシンビーム２４は、一対のもので構成されており、巻上機１５を間に挟んだ両側に配置されている。マシンビーム２４は、ビーム本体４１と、ビーム本体４１の側部に形成された「Ｌ」字形の支持部４２と、支持部４２の上側に固定された取付台４３と、を備えている。支持部４２は、ビーム本体４１の側面からリブ状に突出するように複数個所に形成されている。取付台４３の上面に巻上機１５の脚部１５Ａが載置される。この状態において、巻上機１５の脚部１５Ａは、取付台４３に対して複数のボルトで固定される。
【００２１】
巻上機１５は、マシンビーム２４と一部重複する高さに配置されている。このため、マシンビーム２４の上側に巻上機１５を載置した場合に比して、昇降路１２頂部の空間、すなわちオーバヘッド部分の大きさが小さくなっている。
【００２２】
以上が、エレベータ１１の第１の参考例である。本参考例によれば、エレベータ１１は、昇降路１２内を昇降する乗りかご１３と、乗りかご１３の昇降を駆動することが可能な巻上機１５と、巻上機１５を支持する支持構造１６と、を具備し、支持構造１６は、巻上機１５を直接支持するマシンビーム２４と、マシンビーム２４と直交する方向に延びるとともに、マシンビーム２４を支持する支持梁３５と、昇降路１２の上部に枠状に形成されるとともに、支持梁３５を支持するやぐら３６と、支持梁３５とやぐら３６との間に介在される防振材３７と、を有し、巻上機１５は、マシンビーム２４と一部重複する高さに配置される。
【００２３】
この構成によれば、巻上機１５が上方に突出することが防止されるため、昇降路１２のオーバヘッド部分の寸法を小さくすることができる。また、支持梁３５とやぐら３６との間に防振材３７が介在されるため、巻上機１５において発生する振動を防振材３７によって吸収することができる。
【００２４】
続いて、図３を参照して、エレベータの第２の参考例について説明する。第２の参考例のエレベータ５１は、巻上機１５の設置向きが第１の参考例と異なっているが、他の部分は共通している。このため、主として第１の参考例と異なる部分について説明し、第１の参考例と共通する箇所については共通の符号を付して説明を省略する。
【００２５】
図３に示すように、第２の参考例の巻上機１５は、逆さ向きでマシンビーム２４に固定されている。すなわち、巻上機１５の脚部は、第１の参考例のものよりも幅広に形成されて引っ掛け部１５Ｂを構成している。引っ掛け部１５Ｂは、マシンビーム２４の取付台４３に引っかかって固定されている。第２の参考例では、巻上機１５は、マシンビーム２４、支持梁３５、およびやぐら３６の高さの範囲内に配置されている。すなわち、巻上機１５は、支持構造１６の高さの範囲内に配置されている。
【００２６】
第２の参考例によれば、巻上機１５は、支持構造１６の高さの範囲内に配置される。この構成によれば、マシンビーム２４の上方に巻上機１５が突出してしまうことがない。これにより、オーバヘッド部分の寸法をより一層低減することができ、省スペース化を図ることができる。
【００２７】
この場合、巻上機は、逆さ向きで固定される。この構成によれば、巻上機１５を支持構造１６の高さの範囲内とすることを簡単に実現することができる。
【００２８】
続いて、図４と図５を参照して、エレベータの第３の参考例について説明する。第３の参考例のエレベータ６１は、支持構造６３の構成が第１の参考例と異なっているが、他の部分は共通している。このため、主として第１の参考例と異なる部分について説明し、第１の参考例と共通する箇所については共通の符号を付して説明を省略する。
【００２９】
図４に示すように、支持構造６３は、巻上機１５を直接支持する一対のマシンビーム２４と、一対のマシンビーム２４間に渡された補強梁６２と、マシンビーム２４を支持する支持梁３５と、支持梁３５を支持するやぐら３６と、支持梁３５とやぐら３６との間に介在される防振材３７と、第１のロープヒッチ２１を支持するヒッチビーム２３と、を有する。
【００３０】
やぐら３６は、昇降路１２の上部に枠状に形成されている。やぐら３６は、昇降路１２の壁部１２Ａに固定される一対の建屋梁２５と、一対の建屋梁２５に渡された一対の受け梁３８と、を有している。
【００３１】
図４と図５に示すように、補強梁６２は、長方形の板状に形成されている。補強梁６２は、マシンビーム２４のビーム本体４１の上面に固定されている。補強梁６２は、巻上機１５の駆動シーブ３２の近傍に配置されている。
【００３２】
以上が、エレベータの第３の参考例である。第３の参考例によれば、エレベータ６１は、一対のマシンビーム２４間に渡された補強梁６２をさらに具備する。この構成によれば、マシンビーム２４にかかる巻上機１５の荷重を補強梁６２にも分散させることができる。これによって、マシンビーム２４に負荷が掛かった際に、マシンビーム２４が倒れてしまうことを防止することができる。
【００３３】
この場合、補強梁６２は、巻上機１５の駆動シーブ３２の近傍に配置される。この構成によれば、駆動シーブ３２にかかる吊り下げ荷重を補強梁６２に効率よく分散させることができる。このため、マシンビーム２４にかかる荷重を補強梁６２に分散させることができる。これによって、マシンビーム２４の型格を下げて、省スペース化および製造コストの削減を図ることもできる。
【００３４】
続いて、図６と図７を参照して、エレベータの一実施の形態について説明する。一実施の形態のエレベータ７１は、支持構造７２の構成が第２の参考例と異なっているが、他の部分は共通している。このため、主として第２の参考例と異なる部分について説明し、第２の参考例と共通する箇所については共通の符号を付して説明を省略する。
【００３５】
支持構造７２は、巻上機１５を直接支持する一対のマシンビーム２４と、一対のマシンビーム２４間に渡された補強梁６２と、マシンビーム２４を支持する支持梁３５と、支持梁３５を支持するやぐら３６と、支持梁３５とやぐら３６との間に介在される防振材３７と、第１のロープヒッチ２１を支持するヒッチビーム２３と、を有する。マシンビーム２４は、巻上機１５を間に挟んだ両側に配置されている。
【００３６】
やぐら３６は、昇降路１２の上部に枠状に形成されている。やぐら３６は、昇降路１２の壁部１２Ａに固定される一対の建屋梁２５と、一対の建屋梁２５に渡された一対の受け梁３８と、を有している。
【００３７】
マシンビーム２４は、ビーム本体４１と、ビーム本体４１の側部に形成された「Ｌ」字形の支持部４２と、支持部４２の上側に固定された受け部である取付台４３と、を備えている。支持部４２は、ビーム本体４１の側面からリブ状に突出するように複数個所に形成されている。また、本実施形態では、受け部である取付台４３に隣接して、切欠部７３を設けている。切欠部７３は、その幅寸法が巻上機の後述する引っ掛け部１５Ｂの幅寸法よりも大きく形成されている。
【００３８】
巻上機１５は、例えば、図３に示すものと同様に、逆さ向きでマシンビーム２４に固定される。巻上機１５は、小板上の引っ掛け部１５Ｂを有している。取付台４３の上面にこの引っ掛け部１５Ｂが載置される。この状態で、取付台４３と引っ掛け部１５Ｂは、複数のボルトで固定されている。
【００３９】
続いて図６と図７を参照して、巻上機１５の取り外し作業について説明する。まず、巻上機１５の引っ掛け部１５Ｂと、マシンビーム２４の取付台４３との間のボルト締めを解除する。そして、巻上機１５をその回転軸Ａ方向にスライド移動させて、図６に示す状態から図７に示す状態にすることで、引っ掛け部１５Ｂと取付台４３との当接を解除する。図７に示す状態において、切欠部７３を介して引っ掛け部１５Ｂを下方に通すことで、巻上機１５を取り外すことができる。
【００４０】
一実施の形態によれば、巻上機１５は、マシンビーム２４に引っ掛けるための小板状の引っ掛け部１５Ｂを具備し、マシンビーム２４は、引っ掛け部１５Ｂを受ける受け部である取付台４３と、取付台４３に隣接して設けられるとともに、引っ掛け部１５Ｂの幅寸法よりも大きく形成された切欠部７３と、を具備する。
【００４１】
この構成によれば、巻上機１５を回転軸Ａ方向にスライド移動させて、引っ掛け部１５Ｂを切欠部７３内に落とし込むことで、巻上機１５を下方に取り外すことができる。これにより、巻上機１５を回転軸Ａ方向に少ない距離だけ移動させることで、簡単に巻上機１５を取り外すことができる。
【００４２】
続いて、図８と図９を参照して、エレベータの第４の参考例について説明する。第４の参考例のエレベータ８１は、支持構造８２の構成が第１の参考例と異なっているが、他の部分は共通している。このため、主として第１の参考例と異なる部分について説明し、第１の参考例と共通する箇所については共通の符号を付して説明を省略する。
【００４３】
図８に示すように、支持構造８２は、巻上機１５を直接支持する一対のマシンビーム２４と、マシンビーム２４を支持する支持梁３５と、支持梁３５を支持するやぐら３６と、支持梁３５とやぐら３６との間に介在される防振材３７と、第１のロープヒッチ２１を支持するヒッチビーム２３と、を有する。また、支持構造８２は、マシンビーム２４と支持梁３５の間の位置に、溝部を有するレール８３と、溝部内にはまり込むように配置された円柱状のローラ８４と、を有している。第４の参考例では、レール８３およびローラ８４によって、マシンビーム２４は、巻上機１５の回転軸Ａ方向と直交する方向である幅方向Ｗにスライド移動することができる。なお、支持構造８２は、マシンビーム２４が意図しないときにスライド移動してしまうことを防止するため、図示しない安全装置を備えている。
【００４４】
やぐら３６は、昇降路１２の上部に枠状に形成されている。やぐら３６は、昇降路１２の壁部１２Ａに固定される一対の建屋梁２５と、一対の建屋梁２５に渡された一対の受け梁３８と、を有している。
【００４５】
図８と図９を参照して、巻上機１５の取り外し作業について説明する。まず、巻上機１５の脚部１５Ａと、マシンビーム２４の取付台４３との間のボルト締めを解除する。そして、図９に示すようにマシンビーム２４を幅方向Ｗにスライド移動させる。これによって、巻上機１５の脚部１５Ａとマシンビーム２４の取付台４３との間の当接を解除することができる。こうして、巻上機１５を下方に取り外すことができる。
【００４６】
第４の参考例によれば、一対のマシンビーム２４は、巻上機１５の回転軸Ａ方向と直交する幅方向Ｗにスライド移動できる。この構成によれば、巻上機１５を移動させることなく、巻上機１５を取り外すことができる。特に、乗りかご１３のサイズ、昇降路１２のサイズが小さいなどの理由で巻上機をその回転軸Ａ方向に移動させることができない場合などに第４の参考例のエレベータは有効である。
【００４７】
本発明は、前記実施の形態に限定されるものではない。このほか、発明の要旨を逸脱しない範囲で種々変形実施可能であるのは勿論である。
【図面の簡単な説明】
【００４８】
【図１】第１の参考例に係るエレベータを示す斜視図。
【図２】図１に示すエレベータの巻上機の周辺の構造を示す正面図。
【図３】第２の参考例に係るエレベータを示す正面図。
【図４】第３の参考例に係るエレベータを示す上面図。
【図５】図４に示すエレベータの巻上機の周辺の構造を示す正面図。
【図６】一実施の形態に係るエレベータを示す上面図。
【図７】図６に示すエレベータの巻上機を取り外す工程を示す上面図。
【図８】第４の参考例に係るエレベータを示す上面図。
【図９】図８に示すエレベータの巻上機を取り外す工程を示す正面図。
【符号の説明】
【００４９】
７１…エレベータ、１２…昇降路、１３…乗りかご、１５…巻上機、１５Ｂ…引っ掛け部、７２…支持構造、２４…マシンビーム、３２…駆動シーブ、３５…支持梁、３６…やぐら、３７…防振材、４３…取付台(受け部)、６２…補強梁、７３…切欠部、Ａ…回転軸
【図１】
0005224238.tif 000002
【図２】
0005224238.tif 000003
【図３】
0005224238.tif 000004
【図４】
0005224238.tif 000005
【図５】
0005224238.tif 000006
【図６】
0005224238.tif 000007
【図７】
0005224238.tif 000008
【図８】
0005224238.tif 000009
【図９】
0005224238.tif 000010